(57)【要約】【課題】  外壁部を取り外すことなく、木造構造物の壁部に設置することが可能な壁部貫通部材等を提供する。【解決手段】  筒部３の一方の端部における外周面には、第１フランジ部５が設けられる。第１フランジ部５には、周方向に所定の間隔で複数の貫通孔が形成される。孔にはネジ９が挿通される。第１フランジ部５の後方では、ネジ９の外周に空回り防止部材１１が配置される。空回り防止部材１１は、例えばＯリングなどの、リング状の弾性部材である。また、空回り防止部材１１のさらに後方には、ネジ９と螺合する係止部材１３が設けられる。第１フランジ部５から所定距離離間した位置であって、係止部材１３よりも後方には、筒部３の外周面に第２フランジ部７が設けられる。第２フランジ部７の背面側（第１フランジ部５とは逆側）には、止水部材１５ａが配置される。【選択図】図１
2019100485.tif 000002
【特許請求の範囲】
【請求項１】
筒部と、
前記筒部の一方の端部における外周面に設けられる第１フランジ部と、
前記第１フランジ部を前方から貫通するネジと、
前記第１フランジ部の後方で前記ネジの外周に配置される空回り防止部材と、
前記空回り防止部材の後方で前記ネジと螺合する係止部材と、
前記第１フランジ部から所定距離離間した位置であって、前記係止部材よりも後方に、前記筒部の外周面に設けられ、前記第１フランジ部よりも外径の小さな第２フランジ部と、
前記第２フランジ部の背面側に配置される第１の止水部材と、
を具備し、
前記ネジをねじ込むと、前記係止部材は、前記空回り防止部材と接触するまでは前記ネジに対して回転可能であり、さらに前記ネジをねじ込むと、前記係止部材は、前記係止部材の一部が前記筒部に接触し、端部が外方に突出した状態で、前記空回り防止部材とともに前記第１フランジ部側に移動可能であることを特徴とする壁部貫通部材。
【請求項２】
前記第１フランジ部の背面に、第２の止水部材が配置されることを特徴とする請求項１記載の壁部貫通部材。
【請求項３】
請求項１記載の壁部貫通部材が、壁部の貫通孔に固定された壁部貫通部材の固定構造であって、
前記壁部は、木板と、前記木板の表面に貼り付けられた透湿防水シートと、前記木板と離間して配置される外壁部と、を具備し、
前記外壁部には第１の貫通孔が設けられ、前記木板には、前記第１の貫通孔と同一軸上に、前記第１の貫通孔よりも径の小さな第２の貫通孔が設けられ、
前記係止部材が前記第１の貫通孔の外周側に張り出し、前記外壁部は、前記第１フランジ部と前記係止部材によって挟み込まれ、前記第１の止水部材が、前記木板の内面の前記透湿防水シートに押圧されて、前記第１の止水部材が前記壁部に固定されることを特徴とする壁部貫通部材の固定構造。
【請求項４】
前記第１フランジ部の背面に、第２の止水部材が配置され、前記第２の止水部材が、前記外壁部の外面に押圧されることを特徴とする請求項３記載の壁部貫通部材の固定構造。
【請求項５】
請求項１または請求項２のいずれかに記載の壁部貫通部材を用いた、壁部の貫通孔への壁部貫通部材の固定方法であって、
前記壁部は、木板と、前記木板の表面に貼り付けられた透湿防水シートと、前記木板と離間して配置される外壁部と、を具備し、
前記外壁部には第１の貫通孔が設けられ、前記木板には、前記第１の貫通孔と同一軸上に、前記第１の貫通孔よりも径の小さな第２の貫通孔が設けられ、
前記係止部材が前記筒部の外周面に沿って倒れた状態で、前記外壁部の外側から前記１の貫通孔に前記筒部を挿入するとともに、前記筒部の先端を、前記第２の貫通孔に挿入し、
前記第１フランジ部の前方から前記ネジを回転させ、前記係止部材を前記空回り防止部材の外周面に接触するまで回転させ、前記係止部材を前記筒部の外方に向け、さらに前記ネジを回転させ、前記係止部材を前記ネジの軸方向に沿って前記第１フランジ部側に移動させ、前記係止部材の一部を前記外壁部の内面に接触させ、前記第１フランジ部と前記係止部材によって前記外壁部を挟み込むとともに、前記第２フランジ部の前記第１の止水部材を、前記木板の前記透湿防水シートに押圧させて、前記第１の止水部材を前記壁部に固定することを特徴とする壁部貫通部材の固定方法。
【発明の詳細な説明】
【技術分野】
【０００１】
本発明は、壁部の貫通孔に対して取り付けられる壁部貫通部材等に関するものである。
【背景技術】
【０００２】
従来、例えば屋外に設置される設備等に接続される電線や配管を屋内に引き込む際には、屋外と屋内を区分けする壁部に配管等を挿通させて設置する必要がある。貫通部からの水の浸入を防止する必要があることから、貫通部には壁部貫通部材が設けられる。
【０００３】
一方、木造構造物の場合には、壁部が、外壁部と、外壁部の内側に配置される木板部とからなる。結露を防止するための通気層を設けるため、外壁部は木板部から離間して配置される。木板部の外面には、透湿防水シートが貼り付けられて、水の浸入が防止される。この場合には、壁部貫通部材は外壁と木板とに設けられた貫通孔に設置される。
【０００４】
このような壁部貫通部材を用いた構造としては、例えば、フランジ部を有するスリーブを木板部の外側からはめ込み、フランジ部と木板部とを密着させて固定し、その外側に外壁部が形成されたものが提案されている（特許文献１）。
【先行技術文献】
【特許文献】
【０００５】
【特許文献１】特開２０１６−５３４２５号公報
【発明の概要】
【発明が解決しようとする課題】
【０００６】
特許文献１のような壁部貫通構造は、前述した木板表面の透湿防水シートとの止水性を確保するため、フランジ部の外周部に防水テープなどが貼り付けられる。また、外壁部との隙間には、コーキング材などのシール部材で塞がれる。このため、外壁部を設置後に、新たに貫通孔を追加しようとすると、外壁部を一度取り外して、壁部貫通部材を配置し、防水テープを貼り付けた後、再度外壁部を設置する必要がある。
【０００７】
本発明は、このような問題に鑑みてなされたもので、外壁部を取り外すことなく、木造構造物の壁部に設置することが可能な壁部貫通部材等を提供することを目的とする。
【課題を解決するための手段】
【０００８】
前述した目的を達成するため、第１の発明は、筒部と、前記筒部の一方の端部における外周面に設けられる第１フランジ部と、前記第１フランジ部を前方から貫通するネジと、前記第１フランジ部の後方で前記ネジの外周に配置される空回り防止部材と、前記空回り防止部材の後方で前記ネジと螺合する係止部材と、前記第１フランジ部から所定距離離間した位置であって、前記係止部材よりも後方に、前記筒部の外周面に設けられ、前記第１フランジ部よりも外径の小さな第２フランジ部と、前記第２フランジ部の背面側に配置される第１の止水部材と、を具備し、前記ネジをねじ込むと、前記係止部材は、前記空回り防止部材と接触するまでは前記ねじとともに回転可能であり、さらに前記ネジをねじ込むと、前記係止部材は、前記係止部材の一部が前記筒部に接触し、端部が外方に突出した状態で、前記空回り防止部材とともに前記第１フランジ部側に移動可能であることを特徴とする壁部貫通部材である。
【０００９】
前記第１フランジ部の背面に、第２の止水部材が配置されることが望ましい。
【００１０】
第１の発明によれば、壁部貫通部材の第１フランジ部の前方からネジを回転させることで、外壁部を撤去することなく、容易に、壁部貫通部材を壁部に固定することができる。この際、第２フランジ部の背面の第１の止水部材が木板の外面に押圧されるため、木板と壁部貫通部材との止水性を確保することができる。
【００１１】
特に、第１フランジ部の背面に第２の止水部材が配置されることで、コーキング材などのシール部材を用いることなく、確実に、外壁部と壁部貫通部材との止水性を確保することができる。
【００１２】
第２の発明は、第１の発明にかかる壁部貫通部材が、壁部の貫通孔に固定された壁部貫通部材の固定構造であって、前記壁部は、木板と、前記木板の表面に貼り付けられた透湿防水シートと、前記木板と離間して配置される外壁部と、を具備し、前記外壁部には第１の貫通孔が設けられ、前記木板には、前記第１の貫通孔と同一軸上に、前記第１の貫通孔よりも径の小さな第２の貫通孔が設けられ、前記係止部材が前記第１の貫通孔の外周側に張り出し、前記外壁部は、前記第１フランジ部と前記係止部材によって挟み込まれ、前記第２フランジ部の前記第１の止水部材が、前記木板の内面の前記透湿防水シートに押圧されて、前記第１の止水部材が前記壁部に固定されることを特徴とする壁部貫通部材の固定構造である。
【００１３】
前記第１フランジ部の背面に、第２の止水部材が配置され、前記第２の止水部材が、前記外壁部の外面に押圧されてもよい。
【００１４】
第２の発明によれば、外壁部を撤去することなく施工することが可能な壁部貫通部材の固定構造を得ることができる。
【００１５】
特に、第１フランジ部の背面に第２の止水部材が配置されることで、シリコーンシーラントなどのシール部材を用いることなく、確実に、外壁部と壁部貫通部材との止水性を確保することができる。
【００１６】
第３の発明は、第１の発明にかかる壁部貫通部材を用いた、壁部の貫通孔への壁部貫通部材の固定方法であって、前記壁部は、木板と、前記木板の表面に貼り付けられた透湿防水シートと、前記木板と離間して配置される外壁部と、を具備し、前記外壁部には第１の貫通孔が設けられ、前記木板には、前記第１の貫通孔と同一軸上に、前記第１の貫通孔よりも径の小さな第２の貫通孔が設けられ、前記係止部材が前記筒部の外周面に沿って倒れた状態で、前記外壁部の外側から前記１の貫通孔に前記筒部を挿入するとともに、前記筒部の先端を、前記第２の貫通孔に挿入し、前記第１フランジ部の前方から前記ネジを回転させ、前記係止部材を前記空回り防止部材の外周面に接触するまで回転させ、前記係止部材を前記筒部の外方に向け、さらに前記ネジを回転させ、前記係止部材を前記ネジの軸方向に沿って前記第１フランジ部側に移動させ、前記係止部材の端部を前記外壁部の内面に接触させ、前記第１フランジ部と前記係止部材によって前記外壁部を挟み込むとともに、前記第２フランジ部の前記第１の止水部材を、前記木板の前記透湿防水シートに押圧させて、前記第１の止水部材を前記壁部に固定することを特徴とする壁部貫通部材の固定方法である。
【００１７】
第３の発明によれば、外壁部を撤去することなく容易に壁部貫通部材を壁部に固定することができる。
【発明の効果】
【００１８】
本発明によれば、外壁部を取り外すことなく、木造構造物の壁部に設置することが可能な壁部貫通部材等を提供することができる。
【図面の簡単な説明】
【００１９】
【図１】壁部貫通部材１を示す斜視図。
【図２】壁部貫通部材１を示す平面図。
【図３】図２のＡ−Ａ線断面図。
【図４】壁部貫通部材１を壁部１９へ挿入した状態を示す図。
【図５】（ａ）、（ｂ）は、図４のＢ−Ｂ線断面における係止部材１３の動作を示す部分拡大図。
【図６】（ａ）、（ｂ）は、係止部材１３の動作を示す拡大図。
【図７】壁部貫通部材１の固定構造２０を示す図。
【図８】壁部貫通部材１の固定構造２０ａを示す図。
【発明を実施するための形態】
【００２０】
以下、本発明にかかる壁部貫通部材について説明する。図１は、壁部貫通部材１を示す斜視図、図２は、壁部貫通部材１を示す平面図、図３は、図２のＡ−Ａ線断面図である。
【００２１】
壁部貫通部材１は、主に、筒部３、第１フランジ部５、第２フランジ部７、ネジ９、係止部材１３および止水部材１５ａ、止水部材１５ｂ等から構成される。筒部３は、例えば、樹脂性であり、この場合には、筒部３、第１フランジ部５、第２フランジ部７は、一体で構成される。なお、壁部貫通部材１は、金属製であってもよく、筒部３、第１フランジ部５、第２フランジ部７は、別体で構成されて互いに接合されてもよい。
【００２２】
筒部３の一方の端部近傍における外周面には、第１フランジ部５が設けられる。第１フランジ部５は、筒部３の軸方向に略垂直に、筒部３の外方に全周にわたって突出する。第１フランジ部５の背面側には、第２の止水部材である止水部材１５ｂが配置される。止水部材１５ｂは、例えば、外壁部の凹凸に追従して密着することが可能な水膨張性部材や弾性体である。
【００２３】
第１フランジ部５には、周方向に所定の間隔で複数の貫通孔が形成される。孔にはネジ９が挿通される。すなわち、第１フランジ部５の前方から、ネジ９が貫通する。なお、第１フランジ部５の後方には、第１フランジ部５よりも小さな外径であって、ネジ９を包含するように拡径された肉厚部８が設けられる。このように、孔の長さが長くなることで、ネジ９が傾いたりずれたりすることを抑制することができる。なお、図１に示す例では、ネジ９は、周方向に３か所に配置されるが、少なくとも２か所以上であれば良く、配置数は限定されない。
【００２４】
第１フランジ部５の後方では、ネジ９の外周に空回り防止部材１１が配置される。空回り防止部材１１は、例えばＯリングなどの、リング状の弾性部材である。また、空回り防止部材１１のさらに後方には、ネジ９と螺合する係止部材１３が設けられる。
【００２５】
空回り防止部材１１は、ネジ９に対して、係止部材１３が空回りすることを防止する部材である。係止部材１３は、通常状態では、正面視において、第１フランジ部５の投影面から突出することなく、筒部３と接触するように畳まれる。また、空回り防止部材１１は、第１フランジ部５の背面から所定の距離離れた位置に配置され、係止部材１３は、その後方に配置される。なお、係止部材１３の動作については、詳細を後述する。
【００２６】
第１フランジ部５から所定距離離間した位置であって、係止部材１３よりも後方には、筒部３の外周面に第２フランジ部７が設けられる。第２フランジ部７は、筒部３の軸方向に略垂直に、筒部３の外方に全周にわたって突出し、第１フランジ部５よりも外径が小さい。
【００２７】
第２フランジ部７の背面側（第１フランジ部５とは逆側）には、第１の止水部材である止水部材１５ａが配置される。止水部材１５ａは、弾性体や水膨張性部材が好ましく、例えば、ウレタン発泡体である。
【００２８】
また、係止部材１３の近傍において、筒部３の外面には、肉厚部８から第２フランジ部７との間に、筒部３の軸方向に沿ってリブ１７が設けられる。リブ１７は、ネジ９の近傍に配置され、他の部位（例えばネジ９における筒部３の外面）に対して、外径が大きな部位である。なお、リブ１７の高さ（半径）は、第２フランジ部７の高さ（半径）と略同等である。すなわち、リブ１７は、第２フランジ部７よりも外方には突出しない。なお、ネジ９に沿って、筒部３の外方に配置できれば、リブ１７の形状は特に限定されず、また、リブ１７に代えて他の部材を配置してもよい。
【００２９】
次に、壁部貫通部材１の固定方法について説明する。図４は、壁部１９へ壁部貫通部材１を挿入した状態を示す図である。壁部１９は、屋外側に配置される外壁部１９ａと、室内側に配置される木板１９ｂと、木板１９ｂの表面に貼り付けられる透湿防水シート１９ｃとからなる。外壁部１９ａと木板１９ｂとは互いに離間して配置される。なお、木板１９ｂは、例えば合板である。
【００３０】
壁部１９には、あらかじめ貫通孔が設けられる。より詳細には、外壁部１９ａには、第１の貫通孔である貫通孔２１ａが形成され、木板１９ｂ（透湿防水シート１９ｃ）には、第２の貫通孔である貫通孔２１ｂが設けられる。貫通孔２１ａ、２１ｂは同一軸上に形成され、貫通孔２１ｂは、貫通孔２１ａよりも径が小さい。
【００３１】
ここで、第２フランジ部７の外径は、外壁部１９ａに設けられた貫通孔２１ａの内径よりも小さい。したがって、外壁部１９ａ側から、壁部貫通部材１を挿入する際、第２フランジ部７は、貫通孔２１ａを通過可能である。一方、第１フランジ部５の外径は、貫通孔２１ａの内径よりも大きい。このため、壁部貫通部材１は、第１フランジ部５（止水部材１５ｂ）が外壁部１９ａの外面に接触するまで挿入することができる。なお、第２フランジ部７の外径は、貫通孔２１ｂの内径よりも大きい。このため、第２フランジ部７が貫通孔２１ｂに挿入されることはない。
【００３２】
まず、前述したように、係止部材１３が筒部３の外周面に沿って倒れた状態で、外壁部１９ａの外側から貫通孔２１ａに筒部３を挿入する。この際、筒部３の先端が貫通孔２１ｂに挿入される。なお、前述した様に、止水部材１５ｂが外壁部１９ａの貫通孔２１ａの周囲の外面に接触するまで壁部貫通部材１を挿入すると、止水部材１５ａが貫通孔２１ｂの周囲の外面側（透湿防水シート１９ｃ）に略接触する程度まで挿入可能となる。すなわち、止水部材１５ａの背面と止水部材１５ｂの背面側との距離が、木板１９ｂ（透湿防水シート１９ｃ）の外面側と外壁部１９ａの外面との距離とおおよそ一致する。
【００３３】
次に、第１フランジ部５の前方からネジ９を回転させる。図５（ａ）は、図４のＢ−Ｂ線断面における、係止部材１３近傍の部分拡大図である。前述したように、壁部貫通部材１を壁部１９へ挿入する際には、係止部材１３が筒部３の外周面に沿って倒れた状態となる。例えば、係止部材１３は、前述したリブ１７を包含する外接円から外方にはみ出すことがなく、筒部３を貫通孔２１ａに挿入する際には、係止部材１３と外壁部１９ａとが干渉することはない。
【００３４】
外壁部１９ａの前面側（第１フランジ部５側）からネジ９を回転させると、係止部材１３は、ネジ９の回転に伴い、空回り防止部材１１と接触するまでは、ネジ９に対して回転し、外壁部１９ａ側に移動する。この際、係止部材１３とネジ９との螺合部における摩擦は、係止部材１３の自重よりも小さいため、係止部材１３は、回転せず、筒部３に沿って移動する。したがって、図５（ａ）に示すように、係止部材１３は、畳まれた状態を維持する。
【００３５】
さらにネジ９を回転させ、係止部材１３が空回り防止部材１１に接触すると、図５（ｂ）に示すように、係止部材１３は空回り防止部材１１によって抵抗を受ける。すなわち、外壁部１９ａ方向への移動が空回り防止部材１１によって抵抗を受け、ネジ９に対する係止部材１３の回転が規制される。したがって、図５（ｂ）に示すように、係止部材１３は、ネジ９とともに回転する（図中矢印Ｃ方向）。
【００３６】
この際、係止部材１３は、係止部材１３の一部が筒部３の外周面（筒部３の外周面に形成されたリブ１７）に接触するまで、回転することができる。すなわち、リブ１７が、回転規制部として機能する。係止部材１３が完全に回転すると、係止部材１３の先端が、外側に広がり、正面視において、第１フランジ部５よりも外方に向けて突出する。すなわち、図６（ａ）に示すように、係止部材１３が貫通孔２１ａの外周側に張り出す。
【００３７】
さらにネジ９を回転させると、係止部材１３はリブ１７（筒部３）と接触して、それ以上回転することができなくなるため、図６（ｂ）に示すように、係止部材１３は空回り防止部材１１とともに、ネジ９の軸方向に沿って外壁部１９ａ側（第１フランジ部５側）に移動する（図中矢印Ｄ方向）。係止部材１３の一部が外壁部１９ａの内面と接触すると、係止部材１３と第１フランジ部５とで止水部材１５ｂを介して外壁部１９ａが挟み込まれる。
【００３８】
さらにネジ９をねじ込むと、図７に示すように、壁部貫通部材１の筒部３が室内側に押し込まれる（図中矢印Ｅ方向）。このため、第１フランジ部５の背面に設けられた止水部材１５ｂが、外壁部１９ａの前面に押し付けられる。すなわち、止水部材１５ｂが変形し、外壁部１９ａの前面に密着して止水される。また、この際、第２フランジ部７の背面に設けられた止水部材１５ａが、木板１９ｂ（透湿防水シート１９ｃ）の前面に押圧される。すなわち、止水部材１５ａが変形し、木板１９ｂ（透湿防水シート１９ｃ）の前面に密着する。
【００３９】
以上の操作を、全てのネジ９に対して行うことで、壁部貫通部材１（止水部材１５ａ等）が壁部１９に固定され、図７に示すように、壁部貫通部材１の壁部１９への固定構造２０を得ることができる。この後、壁部貫通部材１に配管等を挿通することで、施工が完了する。
【００４０】
以上説明したように、本実施の形態によれば、壁部１９に壁部貫通部材１を取り付ける際に、壁部１９の前方側からネジ９を締めることによって、壁部１９に壁部貫通部材１が固定される。このため、壁部１９の前面と後面とで作業を行う必要がなく、取り付けが容易である。特に、外壁部１９ａを撤去することなく、内部の木板１９ｂ（透湿防水シート１９ｃ）と壁部貫通部材１との間の止水性を確保することができるため、木造構造体に対して、容易に固定することができる。
【００４１】
また、空回り防止部材１１が設けられることで、係止部材１３を確実に外方に向けて回転させることができる。なお、壁部貫通部材１を取り外す際には、ネジ９を逆に回転させると、係止部材１３は畳まれた状態に回転して、後方に移動する。壁部貫通部材１を壁部１９から取り出した後、空回り防止部材１１の位置を元の位置に戻すことで、再度使用することができる。
【００４２】
次に、第２の実施形態について説明する。図８は、壁部貫通部材が壁部１９へ固定された固定構造２０ａを示す図である。なお、以下の説明において、固定構造２０と同一の機能を奏する構成については、図１〜図７と同一の符号を付し、重複する説明を省略する。
【００４３】
本実施形態では、第１フランジ部５の背面側には、止水部材１５ｂが設けられない。すなわち、第１フランジ部５と係止部材１３とで直接外壁部１９ａが挟み込まれる。なお、この状態において、第２フランジ部７の背面に設けられた止水部材１５ａは、木板１９ｂ（透湿防水シート１９ｃ）の前面に押し付けられる。すなわち、止水部材１５ａが変形し、木板１９ｂ（透湿防水シート１９ｃ）の前面に密着する。
【００４４】
この状態から、第１フランジ部５の外周部に、シール部材２３が設けられる。シール部材２３は、例えば、コーキング材である。コーキング材が固化することで、壁部貫通部材の壁部１９への固定構造２０ａを得ることができる。
【００４５】
第２の実施形態によれば、第１の実施形態と同様の効果を得ることができる。このように、外壁部１９ａと第１フランジ部５との止水は、外壁部１９ａの外面側から行うことができるため、止水部材１５ｂに代えて、従来のようなコーキング材を用いてもよい。
【００４６】
以上添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４７】
１………壁部貫通部材
３………筒部
５………第１フランジ部
７………第２フランジ部
８………肉厚部
９………ネジ
１１……空回り防止部材
１３………係止部材
１５ａ………止水部材
１５ｂ………止水部材
１７………リブ
１９………壁部
１９ａ………外壁部
１９ｂ………木板
１９ｃ………透湿防水シート
２０、２０ａ………固定構造
２１ａ、２１ｂ………貫通孔
２３………シール部材
【図１】
2019100485.tif 000003
【図２】
2019100485.tif 000004
【図３】
2019100485.tif 000005
【図４】
2019100485.tif 000006
【図５】
2019100485.tif 000007
【図６】
2019100485.tif 000008
【図７】
2019100485.tif 000009
【図８】
2019100485.tif 000010